(57)【要約】【課題】減勢用ロープネットの質量増大を図って、転動落下する巨岩の大きい慣性力に対抗できるようにしておき、また大きな膨らみ代を潜在的に備えさせるようにしておく。【解決手段】  金網５の内側に、短く垂下する実質的に宙づり状態にあって、支柱１の天端近傍下部１３に掛け渡された中高位ロープ１４にロープネット１２が取りつけられる。これは、ジグザグしながら上下に延びる一方のロープと、これに隣りあい逆向きにジグザグする他方のロープと、その両ロープの相互接近部に配置される重錘１９とを備える。この重錘は、左右２箇所に設けられた挿通部に各ロープを配して金網の網目より大きい菱形網目を形成させ、網目の変形を許容して大きな膨らみ能力を持たせるとともに、ロープネット１２の質量増大に寄与する。【選択図】図１
2013204237.tif 000002
【特許請求の範囲】
【請求項１】
谷側へ傾動自在に立設された支柱とそれに隣りあう支柱に渡した天端ロープで上端縁が吊持され、法面との間に落石収容ポケットを形成するように垂下張設された金網を備える落石防護ネット工において、
前記金網の内側には、上端縁が支柱の天端近傍下部に掛け渡された中高位ロープに取りつけられ、金網よりは短く垂下する実質的に宙づり状態のロープネットが張設され、
該ロープネットは、ジグザグしながら上下に延びるロープと、これに隣りあい逆向きにジグザグするロープと、その両ロープの相互接近部に配置される重錘とを備え、
該重錘は、左右２箇所に設けられた挿通部に上記隣りあうロープを個々に配して、前記金網の網目より大きい菱形網目を形成させるとともに、ロープネットの質量を増大させるようにしていることを特徴とする落石防護ネット工。
【請求項２】
前記隣りあうロープのうちの一方のロープはそれがたどる挿通部の全てで固定されていることを特徴とする請求項１に記載された落石防護ネット工。
【請求項３】
前記ロープネットは、挿通部の向きを揃えて重錘を千鳥配置し、ジグザグとなるように各ロープを配して施工現場もしくはその近傍で製作されたものであることを特徴とする請求項１または請求項２に記載された落石防護ネット工。
【請求項４】
前記ロープネットの裾部の左右端には他端が地山にアンカー固定されたサイドロープがあり、該サイドロープには引張力を受けてロープ長を増やすロープ繰出し具が介在されていることを特徴とする請求項１ないし請求項３のいずれか一項に記載された落石防護ネット工。
【発明の詳細な説明】
【技術分野】
【０００１】
本発明は落石防護ネット工に係り、詳しくは、谷側への傾動が自在な支柱と隣の支柱に天端ロープを渡し、それに上端縁が吊持されて法面との間で落石収容空間を形成するように垂下張設された金網を備えるポケット式落石捕捉ネット工に関するものである。
【背景技術】
【０００２】
沢をなすような窪みを挟んで複数の支柱を立て、これに掛け渡したロープにより金網を路肩まで垂らすとともに上下左右方向に緊張を与え、支柱間を転がり落ちる岩や石を路肩までに静止させ、山間道路の安全を図るようにした落石防止設備としてのポケット式防護工はよく知られている。そのポケットは地山と金網とが向かい合う空間として形成されるが、２０メートルを越える高さのものも珍しくなく、図２０の（ａ），（ｂ）はその基本的構成を、（ｃ），（ｄ）はその作用を表している。
【０００３】
落石が比較的小さなものである場合、目開きが１０センチメートル四方にも満たない菱形金網６１で十分である。しかし、５０センチメートル径を越えるような巨岩６２が駆け落ちることがあると金網は破損し、甚だしくは巨岩が道路までとび出して通行止めを余儀なくしたり、二次災害までも惹き起こす。
【０００４】
金網６１は変形して巨岩６２の落下エネルギを吸収すると言われているが、その減勢効果は予期したほど高くないという指摘も出ている。金網は上方の吊りロープ６３と左右のサイドロープ６４で緊張が付与されていること、網面６５が巨岩のサイズよりは遙かに広いことなどから、巨岩の衝撃で多少凹む部分が生じても、テニスラケットのガット作用で高い面圧が発生する。巨岩６２は撥ね返されて、暴れ石状態でポケット６６に落下して設備の破損を早めるという。
【０００５】
金網は面変形程度も変形速度も低いからで、それを改善する策の一つとして、特開２００５−３５０８８６には、ロープを縦横に編んだネットを金網に代えて使用する例が記載されている。また、金網の弱さを改善するため、ロープを編んで円形を帯びた網目を形成させたリングネットを金網の内側に一体的に配置する例が、特開２００８−８８７０４に開示されている。
【０００６】
後者はロープと金網の複合体とはいえ、前者と同じようにシングルネット相当構造である。前者は縦横配置で編んだロープで形成されるネットであるから、上下もしくは左右方向に伸びる変形は多くを望めず、膨らみが大きくとれないままのネットでは依然として衝撃の吸収能力を向上させがたい。後者におけるリングは長円形に変化することができるもののそれが金網と一体化されているため、生じるであろう膨らみが変形能力の少ない金網で阻まれ、リングネットの潜在的な伸び能力が有効に発揮されない。
【０００７】
最近では、ネットを前後ダブルに張設して巨岩の減勢効果を高めようとする例が現れてきている。特開２０１０−１１２１０３には、ポケットを形成する金網の法面側にその金網から離隔した二つ目の金網を張設し、内外二重張り構造とした例が開示されている。外側金網はポケットを形成するものであるが、内側金網は簾作用をさせることにより巨岩を減勢してポケットに落とすことを目的としているから、丈の短いものとなっている。
【０００８】
この内側金網を配したネット工の構成は図１９の（ａ）に示すとおりで、主支柱６７は補助支柱６８を備えた「枝つき支柱」となっている。これは（ｃ）や（ｄ）のごとく二本立ての支柱６７Ａ，６７Ｂにすれば工費が嵩むからであるが、（ａ）では補助支柱６８の基部６８ａが主支柱６７に軸承され、主支柱６７とは独立して傾動できるようになっている。補助支柱６８は、その先端が主支柱６７の先端より下方に位置され、主支柱のそれよりは谷側に突き出された状態とされている。
【０００９】
ポケット形成用の外側金網６１はその補助支柱６８の先端から吊り下げられ、減勢用金網６９は主支柱６７の先端から吊下される。（ｂ）に示すように逆にしたなら、補助支柱６８の先端が主支柱６７のそれよりは山側とならざるを得ず、巨岩の取込み口７０が小さくなるからである。この取込み口を巨岩のために大きくしておき、かつ内側金網６９を外側金網６１から離隔させてスペースＳ（図１９の（ａ）を参照）を可及的広く確保しようとしている。これによって、宙づり状態にある減勢用金網６９が巨岩を抱え込んだとき、網全面緊張吊りのときよりも大きな揺れ幅が許容される。
【先行技術文献】
【特許文献】
【００１０】
【特許文献１】特開２００５−３５０８８６
【特許文献２】特開２００８−８８７０４
【特許文献３】特開２０１０−１１２１０３
【特許文献４】特開２００９−１２１０２５
【発明の概要】
【発明が解決しようとする課題】
【００１１】
上記した減勢用金網はポケット形成用金網と同質のものとされているが、宙づり状態にあるから巨岩がぶつかったときの変形の裕度が大きいものの、それだけでは「暖簾に腕押し」状態にとどまる。その変形を適度に抑える作用を発揮させるため、縦横に複数の補強用ロープを金網に組み入れるとともに、ロープの交差部にクロスクリップを配して網目の保形が図られるようにしている。
【００１２】
補強用ロープは金網の面剛性をあげることに寄与するが、クロスクリップで締結されているためロープの囲い目の変形裕度は大きくない。ロープによる金網の質量増加がありまたクロスクリップなどの金物もそれに寄与するが、宙づり状態にある減勢用金網の慣性増大効果に多くは望めない。その金網は揺れやすくなっているが面変形しにくいと、巨岩の持つエネルギの吸収作用を十分に発揮させえないばかりか、網面に反発性を残すことにもなる。
【００１３】
ところで、ネットの慣性を積極的に増大させた例が、特許文献４に記載されている。これは、図１８の（ａ）に示すように、ネット工それ自体を構成する上下に延びるロープ７１（実線・破線からなる中太線表示のロープ）とロープ７２（実線・破線からなる最太線表示のロープ）をジグザグ配置しておき、この隣りあうロープの近接部に重錘７３を取りつけて菱形の網目を形成させたロープネット７４となっている。その重錘７３には隣りあうロープ７１，７２を通す（ｂ）に示した二つの孔７３ａ，７３ｂが設けられ、その一方は楔７５を打つなどしてロープ７１を固定し、他方はロープ７２をルーズに配したままとする。なお、固定用の孔７３ａは常に重錘７３の左に、通し用孔７３ｂは右とされ、いずれの重錘においても同じ姿勢となっている。各一本のロープの実線部分は固定用の孔７３ａで固定されていることを、破線部分は通し用の孔７３ｂで固定されずに動きうる状態にあることを表わしている。
【００１４】
図１８の（ｃ）に示す各四つの重錘で囲まれる菱形の二つの網目７６Ａ，７６Ｂに着目する。網目７６Ａでは、部分ロープ７１ａ，７１ｂを拘束していない重錘７３Ａが、部分ロープ７１ａ，７１ｂの長さの合計を保って二点鎖線のように動くことができる。一方、網目７６Ｂでも、部分ロープ７２ａ，７２ｂを拘束していない重錘７３Ｂがその二つの部分ロープの長さの合計を保って一点鎖線のように動くことができる。これから分かることは、重錘７３Ａは重錘７３Ｂ，７３Ｃの位置に制約を受けた範囲でしか動くことができないが、例えば重錘７３Ｂの位置が変われば、その都度異なった範囲で動くことになる。重錘７３Ａは周囲に存する幾つもの重錘がとる位置の変化によりほとんど無制限に動きうることになり、結局は定まるところがない。
【００１５】
このロープネット７４が巨岩を捕捉したとき各網目は制御しえない位置をとることになるから、巨岩を抱えたとき網目を整然と伸縮させることができず、すなわち一定の規則性を持ってロープネットを面変形させることができない。これでは、巨岩のエネルギを吸収できるようにロープネットが変形する場合もあるが、エネルギ吸収作用を十分に発揮しえない変形をすることもあることを意味する。甚だしい例を挙げれば、上下の重錘が接触するほどに接近することもあるわけで、巨岩がぶつかった衝撃で重錘が随所で巨岩から遠ざかるようにロープをたどることになると、折角付与した慣性の増大効果が薄れることになる。
【００１６】
本発明は上記の問題に鑑みなされたもので、その目的は、外側金網の内側に配した減勢用ロープネットの質量増大を図って、転動落下する巨岩の大きい慣性力に対抗できるようにしておくこと、減勢用ロープネットには大きな膨らみ能力を潜在的に備えさせておくこと、巨岩を抱え込んだときの過大な揺れ等を抑えるとともにポケットへの巨岩のすり落ちを円滑にしておくことを実現した落石防護ネット工を提供することである。
【課題を解決するための手段】
【００１７】
本発明は、谷側へ傾動自在に立設された支柱とそれに隣りあう支柱に渡した天端ロープで上端縁が吊持され、法面との間に落石収容ポケットを形成するように垂下張設された金網を備える落石防護ネット工に適用される。その特徴とするところは、図１の（ａ）を参照して、金網５の内側には、上端縁が支柱１の天端近傍下部１３に掛け渡された中高位ロープ１４に取りつけられて、金網５よりは短く垂下する実質的に宙づり状態のロープネット１２が張設される。このロープネットは、図２の（ａ）に示すジグザグしながら上下に延びる一方のロープ１５と、これに隣りあい逆向きにジグザグする他方のロープ１６と、その両ロープの相互接近部に配置される重錘１９とを備える。この重錘は、左右２箇所に設けられた挿通部１９ａ，１９ｂにロープ１５，１６を個々に配して、金網の網目より大きい菱形網目１１を形成させるとともに、ロープネット１２の質量を増大させるようにしていることである。
【００１８】
隣りあうロープのうちの一方のロープ１５は、それがたどる挿通部１９ａ，１９ｂの全てで固定される。このロープネット１２は、図１３のように、挿通部の向きを揃えて重錘１９を千鳥配置し、ジグザグとなるように各ロープ１５，１６を配して施工現場もしくはその近傍で製作される。
【００１９】
図１に戻って、ロープネット１２の裾部の左右端には、他端が地山にアンカー２６により固定されたサイドロープ２８があり、これに引張力を受けてロープ長を増やすロープ繰出し具２７を介在させておく。
【発明の効果】
【００２０】
本発明によれば、法面との間でポケットを形成する金網の内側に、金網より短いロープネットを配置し、これを宙づりさせているので、ロープネットの膨らみと揺れで巨岩の転動エネルギを吸収し、すなわちロープネットの面圧を落として撥ね返りを弱め、減勢された巨岩をロープネットの裾からポケットにすり落とすことができる。
【００２１】
中高位ロープは、その法面で警戒対象とされる巨岩のサイズを考慮して、ポケット形成用金網と減勢用ロープネットとの面間距離をネットの膨らみや揺れの大きさに見合ったものとするよう適宜に選択して位置どりすることができる。ロープネットは重錘によりネット慣性が増大されているためネットの膨らみ等の挙動が抑えられ、その結果、確保すべきスペースは広くを必要とされなくなる。
【００２２】
ロープネットは上下に延びる隣りあうロープで構成され、隣りあう一方のロープをジグザグさせるとともに他方のロープを逆向きジグザグさせ、ロープ相互の接近部で重錘を介して網目が形成されるようにしているため、ロープを予め編んでおく必要がない。菱形網目は矩形網目とは異なり、巨岩を抱え込んだときのネットの十分な膨らみ代を生む長菱化能力を保有する。
【００２３】
隣りあうロープのうちの一方のロープが挿通部の全てで固定されている場合、巨岩の抱え込みによってロープが引っ張られた際にロープ固定重錘の位置が決まったなら、非固定重錘は固定重錘の位置により制約を受けて動くにとどまる。ある程度の規則性を持ってロープネットの網目が上下方向に伸びることになるので、巨岩の転動エネルギを円滑に吸収する膨らみ能力が潜在的にロープネットに備えられることになる。重錘は巨岩により伸びを呈した箇所の網目で左右方向に近接することになり、巨岩に集中するようにしてネットの慣性増大作用を増長させもする。
【００２４】
ロープネットは、挿通部の向きを揃えて重錘が千鳥配置され、ジグザグとなるように各ロープを配すようにしているから、ロープネット製作のための時間や労力は著しく低減される。施工現場でも製作することが可能であり、輸送時やその前後に要する手間もおおいに軽減されることになる。
【００２５】
ロープネットの裾部の左右端には他端が地山にアンカー固定されたサイドロープがあって、これに引張力を受けてロープ長を増やすロープ繰出し具を介在させることにより、ロープネットに対して宙づりによる簾作用を許容しつつ巨岩を捕捉した時点でのロープネットの過大な煽られや揺れが抑えられる。ロープネットの裾部の過剰な緊張が避けられ、動きの止まるか弱まった巨岩を裾部からポケットにすり落としやすくなる。
【図面の簡単な説明】
【００２６】
【図１】本発明に係る落石防護ネット工を示し、（ａ）はネット工の構成と巨岩が転動してきた様子を示す説明図、（ｂ）は巨岩が抱き込まれた状態の説明図。
【図２】（ａ）は隣りあうロープの配列と重錘との配置関係説明図、（ｂ）は左右のロープを一本で形成した場合の他例のロープネットの部分図。
【図３】（ａ）は落石防護ネット工の概略側面図、（ｂ）は正面図。
【図４】（ａ）はロープネットが金網に重なって見える状態を表した正面部分図、（ｂ）はロープネットのみの拡大図。
【図５】重錘の一例を示し、（ａ）は両孔各固定可能な重錘の断面図、底面図、Ａ−Ａ線矢視断面図、（ｂ）は両孔でロープを固定した状態を示す平面図、断面図、底面図、Ｂ−Ｂ線矢視断面図、（ｃ）は片孔のみ固定可能な重錘の断面図、底面図、左右逆姿勢にした断面図、（ｄ）は片孔のみ固定可能な重錘の外観五面図。
【図６】（ａ）はロープに介在されるロープ繰出し具の一例としての弓なり棒の外観図、（ｂ）は常態と大荷重作用時の繰出し具の挙動説明図。
【図７】（ａ）は巨岩によりロープネットが変形している様子の展開正面図、（ｂ）は膨らみを表した側面図。
【図８】（ａ）は待機状態にあるロープネットの正面模式図、（ｂ）は巨岩を抱えたときの個々の縦列の変形を独立して表した模式図。
【図９】（ａ）は縦列独立変形表示に楕円を被せた模式図、（ｂ）は重錘の位置を隣りあう楕円上に共存させたときの模式図。
【図１０】（ａ）は重錘共存楕円を生成させるモデルの誘導図、（ｂ）は誘導されたモデルにおける重錘の位置決定説明図。
【図１１】（ａ）は楕円原理に基づてロープをずらせた模式図、（ｂ）は楕円をとり除いてロープネットのみにした模式図。
【図１２】（ａ）は図１１の（ｂ）と図８の（ｂ）の重合図、（ｂ）は膨らみ状態の模式図。
【図１３】重錘にロープを配してロープネットを製作する手順説明図。
【図１４】合わせ構造の重錘例であって、（ａ）は一方のみのロープが固定できるものの平面図、正面図、底面図、（ｂ）は組立て前の部品構成図であって、中段はＣ−Ｃ線矢視断面図、（ｃ）は左右両方のロープが固定できるものの平面図、正面図、底面図。
【図１５】ロープを合わせ構造の重錘により挟圧してロープネットを製作する手順説明図。
【図１６】（ａ）は他方のロープが固定されない位置を図４の（ｂ）とは違えた模式図、（ｂ）は他方のロープが重錘で一切固定されていない場合の模式図、（ｃ）はいずれのロープも重錘で固定されている場合の模式図。
【図１７】（ａ）は作業者がロープネットに乗って金網のコイル掛けをしている模式図、（ｂ）は支柱が左右一対のみのネット工の正面図。
【図１８】背景技術で挙げた菱形網目であって、それに採用された重錘ならびに網目構成とその変形説明図。
【図１９】（ａ）は二重張り構造の先行技術例、（ｂ）は内側金網を外側金網より低い位置で吊持した例、（ｃ）および（ｄ）は支柱を二本Ｖ字設置した例。
【図２０】シングルカーテン落石防護ネット工であって、（ａ）は側面図、（ｂ）はＤ−Ｄ線矢視断面図、（ｃ）と（ｄ）は落石の挙動説明図。
【発明を実施するための形態】
【００２７】
以下に、本発明に係る落石防護ネット工を、その実施の形態を表した図面に基づいて詳細に説明する。図３の（ａ），（ｂ）は、隣りあう支柱１，１の頂部に掛け渡した天端ロープ２で吊持され、法面３との間に落石収容ポケット４を形成するように垂下された金網５を備える落石防護ネット工６であって、本発明が適用されるものである。支柱１は谷側へ傾動自在に立設されており、金網５は上端縁が天端ロープ２にコイル７（破線楕円中に拡大して表示）により結合されるなどし、また吊りロープ８やサイドロープ９に支えられて、法面３に沿いつつ路面１０の近くに至るまで傾斜して張設される。
【００２８】
金網５の内側には、図４の（ａ）にも示すように、金網よりも大きい菱形網目１１を持ち、金網よりは短い実質的に宙づり状態のロープネット１２が張設される。このロープネットの上端縁は図１の（ａ）に示す支柱１の天端近傍下部１３に掛け渡された中高位ロープ１４で吊持され、中腹まで垂下する程度の長さにとどめられる。菱形網目１１は、図４の（ｂ）に示す上下に延びる隣りあうロープのうちの一方のロープ１５をジグザグさせるとともに他方のロープ１６を逆向きジグザグさせることにより形成されており、ロープ目は矩形となっていない。このロープネット１２には次に述べる重錘１９が導入されているので、その部分でのロープの連続性は見えていないが、図２の（ａ）で拡大して示した一対のうちのロープ１５は一点鎖線１７に沿って上方および下方へ延び、他方のロープ１６は二点鎖線１８に沿って延びている。
【００２９】
隣りあうロープ１５，１６の相互接近部には、菱形網目１１を形成するため、およびロープネット１２の質量増大を図るために、幾つもの重錘１９が設置される。これらの重錘には、図５の（ａ）に示す平行して上下方向へ延びる左右２箇所の挿通部１９ａ，１９ｂが設けられており、その孔それぞれにロープ１５，１６を通すようにしている。このようにして、ロープネット１２は多数の重錘１９による質量増加で慣性が増大されているため（図４の（ｂ）を参照）、巨岩の衝突に対して宙づり状態にあるネットの揺れを抑えておくことができる。ネットの膨らみや揺れといった挙動が抑えられる結果、金網５とロープネット１２との間に確保されるべきスペースＳ（図１の（ａ）を参照）は広くを要しなくなる。なお、取込み口２１が小さくなる傾向にあるものの、支柱１の仰角を地山の起伏を加味して決定するなどすれば、金網５を吊持するロープをさらに谷側へ張り出させることも必要でなくなり、枝つき支柱（図１９の（ａ）中の符号６７および６８）の導入も強いられない。
【００３０】
図２の（ａ）を参照して、隣りあうロープのうちの一方のロープ１５はそれがたどる重錘１９の全て、すなわち、いずれの挿通部１９ａ，１９ｂでも固定され、他方のロープ１６はそれがたどる重錘の一つおきの挿通部１９ｂで、コッター２２を用いるなどして固定される。他方のロープ１６の実線で表されている部分は挿通孔１９ｂで固定されて、ロープと重錘は相対位置を変えることができない状態におかれ、破線で表されている部分は挿通孔１９ａで固定されず、ロープずれを起こしえる状態におかれている。
【００３１】
そのために上で触れた図５の（ａ），（ｂ）に示す構造の重錘１９Ａが使用される。挿通部におけるロープの固定は、挿通部にロープを配した後に、挿通壁とロープとの間に残る隙間に挿入されるコッター２２による。図２の（ａ）における他方のロープ１６がたどる一つおきの重錘１９Ａａの挿通部１９ａでは、図５の（ａ）のようにロープを通すだけとされ、その孔にはコッターの入りうる空間が残される。ロープは重錘に拘束されず、巨岩が衝突した力でロープが重錘に対して矢印２３のいずれかの方向へ円滑にずれ、部分的にロープ角度や個々の部分ロープの長さを変えさせることができる。このロープ１６が図２の（ａ）のようにたどる残りの一つおきの重錘１９Ａｂの挿通部１９ｂでは、図５の（ｂ）のようにロープを通した後にコッター２２が入れられ、この重錘１９Ａｂではロープ１５，１６はともに固定される。このような固定と非固定の混在によるロープのずれや網目の変形については、図８以降で詳しく述べる。
【００３２】
重錘の構造をもう少し詳しく見る。重錘は例えば鋳造品などの質量の大きいものとされるが、孔の開口部は上下ともに広くされてロープのジグザグのための曲がりを容易にしている。したがって、テーパのあるコッターを重錘の中心部寄りに入れればロープ１５は挟まれ、ワッシャ２４で反力をとったナット２５の締めあげにより、固定は確実なものとなる。コッターの差し替えも問題はない。なお、重錘はコンクリート成形品としたり、他の重量物を重錘に付加するなどして、重量増加を図ることも差し支えない。
【００３３】
ちなみに、図５の（ｂ）のようにいずれの挿通部１９ａ，１９ｂにもコッター２２が入れられるとき、図のように左右でコッターの姿勢を上下逆にしておくこともできる。ロープ１６を非固定とする箇所に、（ｃ）に示すようなコッターの入る空間が確保されていない挿通部１９ｃを持った重錘１９Ｂを採用することもできる。ところで、図２の（ａ）と図１８の（ｃ）とを比べれば分かるように、前者ではロープ１５が全ての重錘箇所で固定されるが、後者は特許文献４に開示されているように、ロープ７１，７２のいずれもが重錘ごとに交互に固定されたり固定されなかったりしている点で異なる。巨岩を抱え込むための変形代を生み出す程度や変形の規則性を保たせることができるか否かの違いはおおいに注目されるところである。
【００３４】
ところで、落石防護ネット工６では金網５に緊張を付与すべく、吊りロープ８やサイドロープ９がアンカー２６により地山に固定されるが、図１の例では、それぞれに図６の（ａ）に示すロープ繰出し具２７が介在されている。これは弾力性のある例えば弓なり棒であり、それぞれのロープの途中を巻きつけることにより、その繰出し機能が発揮されるようになっている。弓なり棒２７は鋼製であり、引張力が作用するとロープの延びる方向に「伸縮作用」を発揮する。自由状態では図６の（ｂ）に示す元来の弦長Ｌa と弧高Ｈa を維持するが、両端に一定以上の引張力が作用すると弧高をＨb に減らす一方で弦長Ｌb を大きくする。すなわち、ロープに過大な荷重が作用したときロープの長さをΔＬ増やすように挙動し、場合によっては過大張力の発生を伸びで吸収したりもする。
【００３５】
したがって、支柱を傾ける力が過剰に作用したときには、吊りロープとサイドロープがその荷重に耐えつつ実質的に長くなり、支柱の谷側への傾きを許容する。図示しないが、弓なり棒を直列に複数介在させれば、ロープの繰出し量は比例して増やすことができる。その弓なり棒の両端には巻き返し部２７ａが設けられ、ロープを一方でフッキングさせた後に弓に巻つけ、他方にフッキングさせれば、ロープを弓なり棒から離反させないようにしておくことができる。
【００３６】
このようなロープ繰出し具２７は是非なければならないというものでないが、本例においてはロープネットの裾部の左右端から地山に向けて延びるアンカー固定されたサイドロープ２８（図１を参照）にも介在されている。ロープネット１２の宙づり状態を保って簾作用を許容しておく意味では、このサイドロープ２８に強い緊張を与えておくわけにはいかないが、弓なり棒２７を介在させておけば、ロープネットの膨らみに追随しつつ過大な煽られを抑えることができる。すなわち、裾ロープ２９に大きな引張力が及んだ時点で弓なり棒２７の弦長が大きくなり、そのときのサイドロープ２８の実質的な伸びが、減勢された巨岩のロープネット１２と法面３との間からポケット４へのすり抜けを許す程度の緊張を、裾ロープ２９に作用させるにとどめる。
【００３７】
次に、巨岩を減勢させる様子を述べる。図１の（ａ）のように巨岩３１が落下してきたとき、法面３を転ぶか地山の凹凸等の影響を受けて時として跳ねるなどする。中高位ロープ１４の高さ位置、すなわち巨岩の取込み口２１の大きさは、その法面における防護対象落石のサイズとその転動挙動を推測して設定される。巨岩３１は沢部などの窪みを転動するため支柱と支柱の間の経路をたどり、重錘つきロープネット１２に向かう。ロープネットに到達すると巨岩がネット面で行く手を阻まれるが、その巨岩の慣性力は大きいため、重錘によって質量を増大させたロープネットとはいえ、図１の（ｂ）のようにネットが膨らみかつ谷側に揺れる。
【００３８】
ロープネットは実質的に宙づり状態にあるものの、巨岩のぶつかりで大きく煽られることもない。これは裾ロープ２９がサイドロープ２８により引っ張られていることにもよるが、ネット自体の慣性も大きくされており、図７の（ａ）のように菱形網目１１も長く変形させられることになって、ネット面に（ｂ）のような膨らみ３２を生じさせ得るからである。このような膨らみは（ａ）のように巨岩やその周囲の重錘を左右方向で相互に近接させることになり、巨岩の慣性力に対抗させるに都合のよい形態が自ずとつくられる。ロープネット１２は中高位ロープ１４と、それに交差する側端ロープ３３とで張りが与えられているため、ネットの横縮み分のある程度は巨岩から遠ざかった位置にある網目の少しずつの拡幅により相殺もされる。
【００３９】
次に、菱形網目１１が巨岩を抱え込んだときの膨らみの発生について述べる。図１６の（ｃ）のように、隣りあうロープのうちの一方のロープ１５が挿通部の全てで固定されるだけでなく、他方のロープ１６も挿通部の全てで固定されている場合から触れる。この場合、ロープと重錘の相対的位置に変化が起こりえないから、網目は菱形を保って縦横比を変えるだけである。そのために重錘間のロープにはひきつれるものがあれば弛むものも現れ、その張力に大小が生じる。一つの網目において緊張している部分のロープが負担を強いられ、これがネットの面圧を上げて膨らみや揺れ幅を抑えるように作用する。このようなロープネットは、小さな膨らみ代があれば十分であったり、小さな揺れ幅でも減勢させることができる転動エネルギの比較的小さな巨岩を対象とする落石防護ネット工に好適であると言える。
【００４０】
一方、大きな膨らみによる網目の高い緊張や面圧が発生するのを可及的に減らしつつ、巨岩を減勢させることが好ましい落石防護ネット工、すなわち転動エネルギの大きな巨岩を対象とするネット工では、一方のロープ１５を挿通部の全てで固定しておくが、図１６の（ｂ）のように他方のロープは挿通部の全てで非固定としておくか、上記したごとくの図２の（ａ）や図１６の（ａ）のように、挿通部の一つおきで固定するようにしておく。巨岩により縦長く変形された網目に順応するように、周囲の網目の形を楕円が持つ後述する幾何学的原理に基づいて変化させていくことができるからである。一定の規則性を持ってロープネットの網目が上下方向の伸びを許容するから、巨岩の転動エネルギを円滑に吸収する膨らみ能力をロープネットに潜在的に持たせておくことができる。重錘は巨岩により上下の伸びを呈した箇所の網目の左右方向に寄り集まることにもなり（図７の（ａ）を参照）、集中して巨岩に対抗することによってネットの慣性増大効果を増長させ、極めて都合のよいものとなる。ちなみに、網目を構成する４辺部分のロープは概して同等の緊張となるから、局所的な過剰負担のないロープネットは損傷の発生度も低くなる。
【００４１】
以下に、図４の（ｂ）に表されたロープネット１２で生じさせることができる楕円原理に則った網目の変形過程を、図８から図１２をもとにして説明する。図８では、実線表示の符号１５が重錘の位置３４で固定されているロープを示し、破線と実線の入り交じり表示の符号１６は、一つおきの重錘の位置３４で固定されかつ他の重錘位置３４Ｆでは非固定としたロープを示している。これは図４の（ｂ）の表記に倣ったものであり、破線部分のロープは重錘の箇所でずれることができる。ただし、図９以降ではロープを表す線を判別しやすくするため、逆ジグザグのロープ１６の全体を破線のみで表すことにする。
【００４２】
図８の（ａ）は、菱形網目１１が全て同じ形となっている初期状態である。（ｂ）は巨岩がぶつかったときの各縦列で期待される伸びを呈した状態である。もちろん、各縦列は隣りの縦列に影響しあうが、重錘の位置３４を網目ごとに菱形を維持したままとして表している。図９の（ａ）は各菱形網目に楕円３５を被せたものである。楕円は２つの焦点を持ち、一つの焦点から楕円上の一点を経由して他の焦点に至る折れ線の長さが一定である性質を有するから、二つの重錘の位置３４，３４を焦点とみなせば各菱形網目を覆う楕円の形は一義的に決まる。
【００４３】
図１０の（ａ）を参照して、左の縦列における右側の重錘の位置３４ａと、右の縦列における左側の重錘の位置３４ｂとは、異なったかのように表されている。しかし、この二つの位置にある重錘は同一物であるから、右側の重錘の位置３４ａと左側の重錘の位置３４ｂとは図の上で重なるべきである。すなわち、重錘１９Ｍ，１９Ｎは左の太い楕円３５ａ上にも右の細い楕円３５ｂ上にも存在したうえで重なるものでなければならない。右の縦列における左側の重錘の位置３４ｂではロープのずれが許されず、左の縦列における右側の重錘の位置３４ａではロープのずれが一点鎖線３６で表したような変化で許容されるから、図１０の（ｂ）のごとく、重錘１９Ｍは右の縦列における左側の重錘の位置３４ｂをとらざるをえなくなる。それを可能にするのは、左の縦列の菱形網目に被さる楕円３５ａを、図１０の（ａ）の矢印３７のように少し回転させることである。この回転が課せられた楕円３５ａ，３５ｂを繋ぐようにして楕円３５ｃに至る様子が図９の（ｂ）に示されている。ちなみに、一方のロープ１５が巨岩の抱え込みにより引っ張られて然るべき変形をした時点で重錘１９Ｎ（図１０の（ｂ）を参照）の位置が決まるから、非固定重錘１９Ｍはその位置へ移動せざるをえなくなる。
【００４４】
図１１の（ａ）は図９の（ｂ）を基にしてたうえで重錘でのロープずれを起こさせたもので、個々に菱形であった網目が図１１の（ｂ）に示すように非菱形の、正確に言えば非平行四辺形の網目１１Ａに変化する。これを全て破線で表し、これに図８の（ｂ）を全て実線で表して重ねたものが、図１２の（ａ）である。各縦列は巨岩を抱える箇所での丈長Ｌ0 がＬ1 やＬ2 に変化しており、（ｂ）に示すような膨らみ３２を生み出す。逆に言えば、巨岩がぶつかればロープは図１１の（ｂ）のようになり、そのためには、各ロープのずれや網目の変形（すなわち重錘の位置替え）は図１０の原理に則ってなされる。なお、伸び変形に基づく膨らみは、巨岩のサイズや転動エネルギの大小に応じたサイズや形で生じる。このような挙動によれば、巨岩の保有するエネルギの一部が重錘におけるロープのずれ時に発生するフリクションによっても消耗されることになり、減勢作用が効果的に発揮されることが分かる。図５の（ｃ）に示した狭い挿通部１９ｃを持った重錘１９Ｂは、このフリクションをさらに大きく発生させることができる。ちなみに、図７の（ｂ）では巨岩３１を抱えるにもかかわらず網目は菱形に描かれているが、上記の説明から分かるように、実際は図１１の（ｂ）のような形となっている。
【００４５】
以上の説明から分かるように、実質的に宙づり状態にあって金網より短いロープネットの膨らみと揺れにより巨岩の転動エネルギが吸収され、すなわちロープネットの受圧を落として撥ね返りを弱めることにより、落石の暴れ石化が回避される。サイドロープ２８（図１を参照）がロープ繰出し具２７の伸びによって長くなり、裾ロープ２９の緊張の増大化が抑えられることによって巨岩はロープネットの裾からすり落ちるようにしてポケットに送られ、落石防護ネット工の損傷も軽減される。
【００４６】
中高位ロープの位置どりは、その法面で警戒対象とされる巨岩のサイズ、ネットの膨らみや揺れの大きさを考慮したうえで、ポケット形成用金網と減勢用ロープネットとの面間距離を確保すべく、適宜に決めればよい。枝つき支柱としておけば金網やロープネットの吊持位置の変更は容易でないが、支柱上なら何処に中高位ロープの位置を選定しても機構上問題とならないから、その位置替えすなわち取込み口の大きさの事後的変更も可能となる。支柱として一箇所一本としておくことができるにもかかわらず、吊持操作等が手間取るロープネットと金網との重畳掛止も回避しておくことができる。
【００４７】
ロープネットは上下に延びる隣りあうロープで構成され、重錘の左右２箇所の挿通部で各ロープを固定または非固定とするから、網目を形成するためにロープを予め編んでおく必要がない。したがって、実質的に上下に延びるロープによって形成される菱形網目を持つロープネットを形成するための時間や労力を著しく軽減することができる。
【００４８】
ロープネットの製作は、それを構成するうちの一方のロープをジグザグさせるとともに隣りあう他方のロープを逆向きにジグザグさせたとしたとき、ロープ相互の接近部となるであろう箇所に重錘を配置する作業となる。それゆえ、ロープネットの形成は施工現場で済ますことも可能となり、輸送やその前後に要する時間や労力をおおいに節減できる。さらには、ジグザグさせるロープと逆向きジグザグするロープとで形成した菱形網目は、矩形網目の場合とは異なり、巨岩を捕捉したときロープネットに十分な膨らみ代を生む長菱化を潜在的に持つことになる。
【００４９】
一方のロープはそれがたどる挿通部の全てで固定され、他方のロープはそれがたどる挿通部の一つおきで固定されているようにしておく場合は、巨岩により縦長く変形された網目の形に順応するように、周囲の網目が楕円の持つ幾何学的原理に基づいて形を変化させていくことができる。このような挙動は他方のロープがたどる挿通部の全て非固定とした場合でも、一方のロープが挿通部の全てで固定されているかぎり、他方のロープに配されている重錘が任意に変位できる裕度は高くなく、楕円原理が当てはまらない場合があるとはいえ、それから大きく外れた挙動となることはない。巨岩の抱え込みにより一方のロープが引っ張られた時点で決まる固定重錘の位置に対して、非固定重錘は無理のない範囲の動きにとどまることに変わりがない。
【００５０】
次に、ロープネット１２を形成する作業について触れる。図１３に示したように、ロープネットは、工事現場近くの平地で挿通部の向きを揃えるようにして（ａ）のように重錘１９が千鳥配置され、ジグザグとなるように各ロープを（ｂ）ないし（ｈ）のように順次配しながら、適宜の重錘にコッター２２による緩み止めが施される。このようにして、ロープネット１２を施工現場もしくはその近傍で製作することができ、工場での処理を排除することもできる。なお、この図においては、破線は重錘で固定される前か固定されていないことを表し、実線は固定がすでに済んでいることを表す。
【００５１】
ところで、一方のロープ１５は一本のロープの半分の部分とし、図２の（ｂ）に示すように他方のロープは一本のロープのＶ字状に折り返された残り半分の部分１５Ａとしておくこともできる。これは、図１３の（ｄ）の下部に示した矩形３８で囲まれた部分のロープを連続させたにすぎないものである。ロープの準備本数を減らしておくことができ、折り返し部を利用しての地山固定は巻付けグリップなどの締結材の使用数を減らすことにもつながる。この図２の（ｂ）の例とするか、（ａ）のように独立した２本のロープ１５，１６を採用するかにかかわらず、重錘１９の取付作業量には大差がない。ところで、一体タイプの重錘１９に代えて、図１４に示した重ね合わせタイプの重錘４１とすることもできる。この場合、（ａ）は先に説明した図５の（ａ）や（ｃ）に相当するもので、図１４の（ｃ）は図５の（ｂ）に相当する機能を発揮する。
【００５２】
ロープ１５は合わせ面に形成されたロープ上半部収容凹み４２Ｕとロープ下半部収容凹み４２Ｌに嵌められ、ボルト４３Ｌにナット４４を掛けて挟圧固定される。この収容曲がり溝４２は、コッター類を使用することなく鋼製ロープを部分的に塑性変形させて固定する。他方はボルト４３Ｒの軸を取り巻くように、もしくはそれに嵌められたカラー４５を取り巻くようにロープ１６が掛けられる。ロープ１６はボルトもしくはカラー周りの余裕ある空間を通すだけであるから、図１０で説明した動きを達成する。この二つ割れ式の重錘によれば、図１３で述べたネット製作に相当する操作は重ね合わせだけの極めて手軽なものとなる。
【００５３】
落石防護ネット工では、沢の浅深や幅によっては図２のように３本以上の支柱が立てられるが、凹みを跨ぐネットを図１７のように２本の支柱１，１で吊持する場合にも、本発明が適用できることは述べるまでもない。例えば３本支柱のネット工の場合、中央の枝つき支柱における補助支柱６８（図１９の（ａ）を参照）を、内側金網６９の丸印部位７７で貫通させることになるが、これは実質不可能である。そのために枝つき支柱は広幅なネット工に供しがたく、反面、ロープネットを本発明のように中高位ロープで吊持すれば、支柱を幾つ並べるにしても障害が生じることはない。なお、図１７の（ａ）中の符号４６は作業者を表しており、枝つき支柱を採用しないために、ロープネット１２を登ってから天端ロープ２に命綱をとるなどして、ロープネットに足を掛けたままで、金網５の上端縁を天端ロープ２に取りつけることができる。ロープネットを足場代わりにできる点で、前後二重張りの利点が施工においても発揮される。
【符号の説明】
【００５４】
１…支柱、２…天端ロープ、３…法面、４…落石収容ポケット、５…金網、６…落石防護ネット工、１１…菱形網目、１１Ａ…非菱形網目、１２…ロープネット、１３…天端近傍下部、１４…中高位ロープ、１５…一方のロープ、１６…隣りあう他方のロープ、１９，１９Ａ，１９Ａa ，１９Ａb ，１９Ｂ，１９Ｂa ，１９Ｂb ，１９Ｍ，１９Ｎ…重錘、１９ａ，１９ｂ，１９ｃ…挿通部、２６…アンカー、２７…ロープ繰出し具（弓なり棒）、２８…サイドロープ、２９…裾ロープ、３１…巨岩、３２…膨らみ。
【図１】
2013204237.tif 000003
【図２】
2013204237.tif 000004
【図３】
2013204237.tif 000005
【図４】
2013204237.tif 000006
【図５】
2013204237.tif 000007
【図６】
2013204237.tif 000008
【図７】
2013204237.tif 000009
【図８】
2013204237.tif 000010
【図９】
2013204237.tif 000011
【図１０】
2013204237.tif 000012
【図１１】
2013204237.tif 000013
【図１２】
2013204237.tif 000014
【図１３】
2013204237.tif 000015
【図１４】
2013204237.tif 000016
【図１５】
2013204237.tif 000017
【図１６】
2013204237.tif 000018
【図１７】
2013204237.tif 000019
【図１８】
2013204237.tif 000020
【図１９】
2013204237.tif 000021
【図２０】
2013204237.tif 000022